(57)【特許請求の範囲】
【請求項１】
放射状に延びる区画壁を下面に形成したバーナヘッドと、該バーナヘッドの載置面を有するガス混合管とからなり、バーナヘッドはガス混合管に連なる環状の分布室を備えていて、バーナヘッドをガス混合管上の載置面に載置したときに該分布室から外方へ放射状に延びるガス通路を形成すると共に、該ガス通路の上面を外方へ向かって次第に上方へ傾斜した傾斜面に形成し、該ガス通路の外端を炎口として構成した環状バーナに於いて、該ガス通路の区画壁の外端上縁を外端下縁よりも内方へ退去させて、該炎口の外方に近接して上方側が下方側より拡張され、バーナの強火燃焼中に燃料ガスの未燃ガスを溜める窪み状の未燃ガス溜まりを形成したことを特徴とする環状バーナ。
【請求項２】
上記未燃ガス溜まりを、上記ガス通路の区画壁の外端上縁を切削して形成したことを特徴とする請求項１に記載の環状バーナ。
【請求項３】
バーナヘッドを、上方の蓋体と、上記ガス混合管上に載置される下方の環状の本体で構成し、該本体の上下面に放射状に延びる区画壁を形成して該蓋体との間及び該ガス混合管との間に上記ガス通路を夫々設けたことを特徴とする請求項１または２に記載の環状バーナ。
【発明の詳細な説明】
【０００１】
【発明の属する技術分野】
本発明は、ガステーブル等に使用される環状バーナに関する。
【０００２】
【従来の技術】
従来、図１及び図２に示すような、板金製のガス混合管ａに鍛造物製のキャップｂを嵌着し、該ガス混合管ａとキャップｂの当接面に形成した凹部により環状の分布室ｃを構成させ、該キャップｂに該分布室ｃから外方へ放射状に延びる区画壁ｄで区画されたガス通路ｅを形成した環状バーナが知られている。この環状バーナには該ガス通路ｅの外端に炎口ｆが形成され、これから噴き出す燃焼空気と燃料ガスとの混合ガスが燃焼する。
【０００３】
【発明が解決しようとする課題】
燃焼の強弱を調整するには、ガステーブル等の前面に設けた火力調節レバーを操作してガス混合管ａに導入される燃料ガス量を増減調整しているが、従来のものでは、該火力調節レバーを急激に最大ガス量から最小ガス量に燃料ガス量を減少させるように操作すると、失火や逆火を生じる不都合があった。こうした不都合は、燃料ガス量が最小になった後でもガス混合管ａのベンチュリー部には最大ガス量時のガスの噴出によるエゼクタ効果で燃焼一次空気を吸引する慣性力が残るため、一時的に燃焼空気過剰な混合ガスが炎口ｆから噴出することが原因で生じ、この場合、ガス種が燃焼速度の遅いＪＩＳ  １２Ａ−３等の燃料ガスであるときは、混合ガス中の燃料ガス濃度が可燃限界を下回って失火状態に陥り、ガス種が燃焼速度の速いＬ１−２等の燃料ガスのときは、燃焼速度が噴出速度を上回って逆火する現象をもたらす。
【０００４】
こうした不都合を解決するには、燃料ガス量が最小である最弱インプットを上げねばならず、その結果、強弱インプット比すなわち燃焼の強弱比を大きくすることができなくなるという欠点が生じて好ましくない。
【０００５】
本発明は、火力調節レバーの急激な燃料ガス量減少操作による失火や逆火の不都合を簡単な構成で解消すること、及び大きな強弱インプット比が得られる環状バーナを安価に製作することを目的とするものである。
【０００６】
【課題を解決するための手段】
本発明では、上記の目的を達成するため、放射状に延びる区画壁を下面に形成したバーナヘッドと、該バーナヘッドの載置面を有するガス混合管とからなり、バーナヘッドはガス混合管に連なる環状の分布室を備えていて、バーナヘッドをガス混合管上の載置面に載置したときに該分布室から外方へ放射状に延びるガス通路を形成すると共に、該ガス通路の上面を外方へ向かって次第に上方へ傾斜した傾斜面に形成し、該ガス通路の外端を炎口として構成した環状バーナに於いて、該ガス通路の区画壁の外端上縁を外端下縁よりも内方へ退去させて、該炎口の外方に近接して上方側が下方側より拡張され、バーナの強火燃焼中に燃料ガスの未燃ガスを溜める窪み状の未燃ガス溜まりを形成し、燃料ガス量の急減操作をしても失火や逆火が発生しないようにした。未燃ガス溜まりは、該ガス通路の区画壁の外端上縁を切削することにより形成される。また、バーナヘッドを、上方の蓋体と、該ガス混合管上に載置される下方の環状の本体で構成し、該本体の上下面に放射状に延びる区画壁を形成して該蓋体との間及び該ガス混合管との間に該ガス通路を夫々設けても良い。
【０００７】
【発明の実施の形態】
図面に基づき本発明の実施の形態を説明すると、図３に於いて、符号１は都市ガス等の燃料ガスの噴出によるエゼクタ効果で燃焼一次空気が吸引されて燃料ガスとともに導入される導入口２及びベンチュリ部３を備えた板金製のガス混合管を示し、符号４は該ガス混合管１に取り付けた鍛造物製の円形のバーナヘッドを示す。
【０００８】
該バーナヘッド４は、該ガス混合管１の一端側の環状の開口５に連なる環状の分布室６を備えており、該分布室６から外方に放射状に延びるガス通路７が形成される。該バーナヘッド４の下面には、図４に示すように、放射状に延びる区画壁８を形成し、該ガス混合管１上の載置面に該バーナヘッド４を載置したときに該区画壁８と該載置面とで放射状のガス通路７が形成されるようにした。該区画壁８は縦長矩形の断面を有し、これをバーナヘッド４の下面の全周に比較的狭い間隔で放射状に形成して縦長矩形断面の該ガス通路７を構成した。該ガス通路７の上面７ａは、外周方向が次第に上方へ傾斜した傾斜面に形成し、該通路７内を流れる混合ガスが炎口９から斜め上方へ噴出するように誘導した。
【０００９】
点火操作を行うと、点火電極等の点火手段により点火して該炎口９から噴き出す燃料ガスと燃焼一次空気との混合ガスが燃焼二次空気と反応して燃焼する。該ガス混合管１に供給する燃料ガスを火力調節レバー１０の操作により最大ガス量から最小ガス量に急激に減少させると、前記した失火や逆火の不都合を生じることになるため、本発明では該炎口９の外方に近接して上方側が下方側より拡張した窪み状の未燃ガス溜まり１１を形成してこの不都合を解消するようにした。
【００１０】
該未燃ガス溜まり１１は、バーナの燃焼中に燃料ガスの未燃ガスを溜めるためのもので、強火で燃焼中は、燃焼二次空気が該未燃ガス溜まり１１に入り込まないので、図４に見られるように、混合ガスは、未燃ガスＡが該未燃ガス溜まり１１に溜まった状態で未燃ガス溜まり１１の外方で燃焼二次空気と反応して燃焼する。そして火力調節レバー１０を急激に弱火に操作したとき、燃焼速度が遅い燃料ガスでは、火炎が図５に示すように該未燃ガス溜まり１１に入って二次空気が遮断されることにより、炎口９から噴出する混合ガスの燃焼一次空気量が増えても混合ガス中の燃料ガス濃度が可燃限界を下回ることなく燃焼継続できて失火が防止され、また、燃焼速度の速い燃料ガスでは、該未燃ガス溜まり１１の天井部により火炎が冷却されるために燃焼速度が低下し、そのため逆火しなくなって図５の場合と同様の燃焼状態になる。
【００１１】
該未燃ガス溜まり１１は、炎口９の上方のバーナヘッド部材を切削などにより上方側が下方側より拡張された窪みを設けることにより比較的簡単に形成できる。本実施例の場合は、該バーナヘッド部材を周回する窪みを設けて全周に亘る環状の未燃ガス溜まり１１を形成したが、各炎口９に対応する部分のみに窪みを設けてもよい。また、該ガス通路７を形成する区画壁８の炎口９側の外端上縁８ａを、図３乃至図６に見られるように外端下縁８ｂ側よりも内方に退去した状態になるように窪みを形成して奥行きの深い未燃ガス溜まり１１を形成すると、一層燃焼二次空気が流れ込み難い領域を確保できる。更に、該バーナヘッド４を、図７のように、上方の蓋体１２と、ガス混合管１上に載置される環状の本体１３とで構成し、該本体１３の環状の上面或いは図８のように該本体１３の上下面に放射状に延びる区画壁８、８を形成して該本体１３の上方或いは上下にガス通路７、７を形成することも可能である。
【００１２】
図３に示す構成の場合、強火力の場合は図４のように炎が斜め上方に噴き出すが、未燃ガス溜まり１１には燃焼二次空気が流れ込まないので未燃領域が形成された状態で燃焼し、急激に弱火に操作された場合、この未燃領域内では混合ガス中の燃焼一次空気が増加しても全体の燃焼空気が過剰とならず、図５のように火炎が未燃ガス溜まり１１に移って燃焼を続ける。したがって、最弱インプットを下げて強弱インプット比を高めても、急激な強火から弱火への操作による失火の不都合が解消される。尚、ガス通路７の上面７ａを外周方向に向かって上方へ傾斜する傾斜面としたため、環状バーナの外径を大きくしなくても炎が斜め上方へ向くので熱効率や熱分布性能が向上する。
【００１３】
【発明の効果】
以上のように本発明によれば、環状バーナのガス通路の区画壁の外端上縁を外端下縁よりも内方へ退去させて、炎口の外方に近接して上方側が下方側より拡張された窪み状の未燃ガス溜まりを設けたので、強火力状態から急激なガス量減少操作がなされても失火や逆火の不都合を生じることがなく、未燃ガス溜まりを形成する簡単な構成でその不都合を解消でき大きな強弱インプット比が得られる環状バーナを安価に製作できる等の効果があり、請求項２，３の構成とすることで本発明を一層適切に実施できる効果が得られる。
【図面の簡単な説明】
【図１】従来の環状バーナの截断側面図
【図２】図１の環状バーナのバーナヘッドの下面図
【図３】本発明の実施の形態を示す截断側面図
【図４】強火力状態の説明図
【図５】弱火力状態の説明図
【図６】本発明の他の実施例の截断側面図
【図７】バーナヘッドを分割体で構成した本発明の実施例の截断側面図
【図８】図７の変形例の截断側面図
【符号の説明】
１  ガス混合管、４  バーナヘッド、６  分布室、７  ガス通路、７ａ  上面、８  区画壁、８ａ  上縁、８ｂ  下縁、９  炎口、１０  火力調節レバー、１１未燃ガス溜まり、１２  蓋体、１３  本体、
【図１】
0003732401.tif 000002
【図２】
0003732401.tif 000003
【図３】
0003732401.tif 000004
【図４】
0003732401.tif 000005
【図５】
0003732401.tif 000006
【図６】
0003732401.tif 000007
【図７】
0003732401.tif 000008
【図８】
0003732401.tif 000009